(57)【特許請求の範囲】
【請求項１】
ゴムを有する第１のゴム層と、
該第１のゴム層よりも軟らかい、かつ、同第１のゴム層の一方側に配置された、かつ、ゴムを有する第２のゴム層と、
該第２のゴム層よりも軟らかい、かつ、同第２のゴム層の、前記第１のゴム層が配置された側とは反対側に配置された、かつ、軟性材料を有する柔軟層と、
前記第１のゴム層と略同じ硬さを有し、かつ、前記柔軟層の、前記第２のゴム層が配置された側とは反対側に配置された、かつ、前記柔軟層に向けて窪んだ凹部が形成された、かつ、ゴムを有する第３のゴム層とを備える
人工乳房。
【請求項２】
ゴムを有する第１のゴム層と、
該第１のゴム層よりも軟らかい、かつ、同第１のゴム層の一方側に配置された、かつ、ゴムを有する第２のゴム層と、
該第２のゴム層よりも軟らかい、かつ、同第２のゴム層の、前記第１のゴム層が配置された側とは反対側に配置された、かつ、前記第２のゴム層に向けて窪んだ凹部が形成された、かつ、軟性材料を有する柔軟層と、
前記第１のゴム層の縁部に配置された、かつ、ゴムを有する第３のゴム層とを備える
人工乳房。
【請求項３】
前記凹部に着脱可能に配置される、かつ、粘着性材料を有する粘着体を備える
請求項１に記載の人工乳房。
【請求項４】
前記ゴムはシリコーンゴムであり、
前記軟性材料および前記粘着性材料はシリコーンゲルであり、
前記粘着体は、前記第１のゴム層、前記第２のゴム層、前記柔軟層および前記第３のゴム層よりも軟らかい
請求項３に記載の人工乳房。
【請求項５】
前記第１のゴム層の縁部と前記第３のゴム層の縁部とが接着されて、前記第２のゴム層と前記柔軟層が同第１のゴム層と同第３のゴム層に覆われており、
前記シリコーンゴムは、白金触媒硬化型である
請求項４に記載の人工乳房。
【発明の詳細な説明】
【技術分野】
【０００１】
本発明は人工乳房に関する。詳しくは、例えばパッドとしても利用できる人工乳房に係るものである。
【背景技術】
【０００２】
乳房は女性のシンボルである。従って、外傷や乳がん除去手術などによって乳房を大きく損なった場合には、女性の精神的苦痛は非常に大きい。
また、下着などによってある程度誤魔化すことは可能であるが、煩わしさがあり、また、他人との入浴に制限が伴う場合もある。
【０００３】
そこで、乳房の形状を正常な状態に保つために、人工乳房を胸部の皮膚に貼り付けることも行なわれており、様々な人工乳房が提案されている。
【０００４】
例えば特許文献１には、図６に示すような人工乳房が記載されている。
すなわち、特許文献１に記載の人工乳房１０１は、シリコーンゴムで形成された袋状部１０２と、袋状部１０２の内部に封入されたジェル材１０３とを備える。
【０００５】
また、袋状部１０２は、所定の厚みで成形した基層部１０２Ａと、表面の凸曲面が乳房近似形態で形成され、かつ、所定の厚みで成形した乳房外層部１０２Ｂから構成される。
また、人工乳房１０１は、乳房が切除された後の胸部における乳房欠損箇所１００を補うように、医療用材料である粘着剤３０１を介して装着される。
【先行技術文献】
【特許文献】
【０００６】
【特許文献１】特開２０１３−０００３３２号公報
【発明の概要】
【発明が解決しようとする課題】
【０００７】
しかしながら、特許文献１に記載された人工乳房のように、シリコーンゴム単層で構成された袋状部内にジェル材を封入して製作されたものは、外部から乳房外層部に力が加えられて人工乳房が変形した場合、不自然なシワを生じたり、人体に比べて不自然な硬さとなったりしやすかった。
【０００８】
また、特許文献１に記載された人工乳房を人体の胸部に装着する場合には、粘着剤を介して装着するので、粘着剤を塗布するという作業が必要であった。
また、特許文献１に記載された人工乳房を取外すときには剥離剤を使用する必要があるうえに人工乳房の破損が起きやすく、さらに、シリコーンゴム層が胸部に接着して皮膚を覆ってしまうため、発汗が妨げられ、長時間、人工乳房を装用したときに苦痛を伴うおそれがある。
【０００９】
本発明は、以上の点に鑑みて創案されたものであり、不自然さを低減できると共に、装着および取外しが容易である人工乳房を提供することを目的とする。
【課題を解決するための手段】
【００１０】
上記の目的を達成するために、本発明の人工乳房は、ゴムを有する第１のゴム層と、該第１のゴム層よりも軟らかい、かつ、同第１のゴム層の一方側に配置された、かつ、ゴムを有する第２のゴム層と、該第２のゴム層よりも軟らかい、かつ、同第２のゴム層の、前記第１のゴム層が配置された側とは反対側に配置された、かつ、軟性材料を有する柔軟層と、前記第１のゴム層と略同じ硬さを有し、かつ、前記柔軟層の、前記第２のゴム層が配置された側とは反対側に配置された、かつ、前記柔軟層に向けて窪んだ凹部が形成された、かつ、ゴムを有する第３のゴム層とを備える。
【００１１】
ここで、ゴムを有する第１のゴム層と、第１のゴム層よりも軟らかい、かつ、第１のゴム層の一方側に配置された、かつ、ゴムを有する第２のゴム層と、第２のゴム層よりも軟らかい、かつ、第２のゴム層の、第１のゴム層が配置された側とは反対側に配置された、かつ、軟性材料を有する柔軟層とによって、段階的に軟らかくなっているので、外部から力を付与されても不自然なシワを生じにくく、軟らかさと型崩れし難い状態とを両立させることができる。
【００１２】
また、第１のゴム層と略同じ硬さを有し、かつ、柔軟層の、第２のゴム層が配置された側とは反対側に配置された、かつ、柔軟層に向けて窪んだ凹部が形成された、かつ、ゴムを有する第３のゴム層によって、人体との間に空間を形成しやすくなり、装着中に蒸れにくくなると共に、吸着作用で人工乳房を装着することができる。
また、本発明の人工乳房を押して人体との間の空気を少し抜くことで、より人体との密着度を高めることができ、形状も小さくすることができる。
【００１３】
また、本発明で言う「軟性材料」とは、超軟質のゴムよりも軟らかい材料を示す。
【００１４】
また、上記の目的を達成するために、本発明の人工乳房は、ゴムを有する第１のゴム層と、該第１のゴム層よりも軟らかい、かつ、同第１のゴム層の一方側に配置された、かつ、ゴムを有する第２のゴム層と、該第２のゴム層よりも軟らかい、かつ、同第２のゴム層の、前記第１のゴム層が配置された側とは反対側に配置された、かつ、前記第２のゴム層に向けて窪んだ凹部が形成された、かつ、軟性材料を有する柔軟層と、前記第１のゴム層の縁部に配置された、かつ、ゴムを有する第３のゴム層とを備える。
【００１５】
ここで、ゴムを有する第１のゴム層と、第１のゴム層よりも軟らかい、かつ、第１のゴム層の一方側に配置された、かつ、ゴムを有する第２のゴム層と、第２のゴム層よりも軟らかい、かつ、第２のゴム層の、第１のゴム層が配置された側とは反対側に配置された、かつ、軟性材料を有する柔軟層とによって、段階的に軟らかくなっているので、外部から力を付与されても不自然なシワを生じにくく、軟らかさと型崩れし難い状態とを両立させることができる。
【００１６】
また、第２のゴム層に向けて窪んだ凹部が形成された柔軟層によって、人体との間に空間を形成しやすくなり、装着中に蒸れにくくなると共に、吸着作用で人工乳房を装着することができる。
また、本発明の人工乳房を押して人体との間の空気を少し抜くことで、より人体との密着度を高めることができ、形状も小さくすることができる。
【００１７】
また、第１のゴム層の縁部に配置された、かつ、ゴムを有する第３のゴム層によって、人工乳房の周縁部と人体との装着を強化できる。
【００１８】
また、本発明の人工乳房は、凹部に着脱可能に配置される、かつ、粘着性材料を有する粘着体を備えるものとすることができる。
【００１９】
この場合、人体に対する接着力を向上でき、また、人体との間の空間を最小にして人工乳房の著しい変形を防止できる。
また、「粘着性材料」とは、粘着性を有し、軟性材料と同程度の軟らかさを有する材料を示す。
【００２０】
さらに、本発明の人工乳房において、ゴムはシリコーンゴムであり、軟性材料および粘着性材料はシリコーンゲルであり、粘着体は、第１のゴム層、第２のゴム層、柔軟層および第３のゴム層よりも軟らかいものとすることができる。
【００２１】
この場合、粘着体は、第１のゴム層、第２のゴム層、柔軟層および第３のゴム層よりも軟らかいので、外部からの作用に対し、さらに自然な感触が得られる。
【００２２】
また、本発明の人工乳房において、第１のゴム層の縁部と第３のゴム層の縁部とが接着されて、第２のゴム層と柔軟層が第１のゴム層と第３のゴム層に覆われており、シリコーンゴムは、白金触媒硬化型であるものとすることができる。
【００２３】
この場合、外側の層である、第１のゴム層と第３のゴム層が吸水性の少ない白金触媒硬化型のシリコーンゴムを有するので、胸部に接していたり、手で何度も触られたりしても、劣化し難い。
【発明の効果】
【００２４】
本発明に係る人工乳房は、不自然さを低減できると共に、装着および取外しが容易である。
【図面の簡単な説明】
【００２５】
【図１】本発明を適用した人工乳房の第１の実施態様を示す概略断面図である。
【図２】人体の胸部に装着された、本発明を適用した第１の実施態様の人工乳房を示す概略断面図である。
【図３】人体の胸部に装着された、本発明を適用した第１の実施態様の変形例の人工乳房を示す概略断面図である。
【図４】本発明を適用した第２の実施態様の人工乳房を人体の胸部に装着するときの様子の一例を示す概略断面図である。
【図５】人体の胸部に装着された、本発明を適用した第２の実施態様の人工乳房を示す概略断面図である。
【図６】従来の人工乳房を人体に装着したときの様子を示す概略断面図である。
【発明を実施するための形態】
【００２６】
以下、本発明の実施の形態について図面を参照しながら説明し、本発明の理解に供する。
図１は、本発明を適用した人工乳房の第１の実施態様を示す概略断面図である。
【００２７】
図１に示す本発明の人工乳房１は、シリコーンゴムを有する第１のシリコーンゴム層２を備える。
また、第１のシリコーンゴム層２は、人工乳房１の表面を構成する層であり、突起した乳頭部２Ａが形成されている。
ここで、第１のシリコーンゴム層は、第１のゴム層の一例である。
【００２８】
また、本発明の人工乳房１は、シリコーンゴムを有する第２のシリコーンゴム層３を備える。
また、第２のシリコーンゴム層３は、第１のシリコーンゴム層２よりも軟らかい。また、第２のシリコーンゴム層３は、第１のシリコーンゴム層２の一方側に配置されている。
ここで、第２のシリコーンゴム層は、第２のゴム層の一例である。
【００２９】
また、本発明の人工乳房１は、シリコーンゲルを有する柔軟層４を備える。
また、柔軟層４は、第２のシリコーンゴム層３よりも軟らかい。また、柔軟層４は、第２のシリコーンゴム層３の、第１のシリコーンゴム層２が配置された側とは反対側に配置されている。
【００３０】
ここで、シリコーンゲルは軟性材料の一例である。
また、柔軟層が第２のゴム層よりも軟らかいのであれば、必ずしも軟性材料はシリコーンゲルでなくてもよく、例えば、ゼラチン、寒天を用いることもできる。
【００３１】
また、本発明の人工乳房１は、シリコーンゴムを有する第３のシリコーンゴム層５を備える。
また、第３のシリコーンゴム層５は、第１のシリコーンゴム層２と略同じ硬さを有する。
【００３２】
また、第３のシリコーンゴム層５は、柔軟層４の、第２のシリコーンゴム層３が配置された側とは反対側に配置されている。
また、第３のシリコーンゴム層５には、柔軟層４に向けて窪んだ凹部６が形成されている。
また、第３のシリコーンゴム層５は粘着性を有する。
【００３３】
また、図１に示すように、第１のシリコーンゴム層２の縁部と第３のシリコーンゴム層５の縁部とが接着されており、第２のシリコーンゴム層３と柔軟層４が、第１のシリコーンゴム層２と第３のシリコーンゴム層５に覆われている。
【００３４】
また、第１のシリコーンゴム層２と、第２のシリコーンゴム層３と、第３のシリコーンゴム層５それぞれのシリコーンゴムは、白金を触媒として硬化する白金触媒硬化型である。
従って、外側の層である、第１のシリコーンゴム層２や第３のシリコーンゴム層５が、手で何度も触られたり、胸部に接していたりしても劣化し難い。
【００３５】
ここで、第１のゴム層、第２のゴム層および第３のゴム層を構成するゴムは、必ずしもシリコーンゴムでなくてもよい。例えば、シリコーンゴムとウレタンゴムを混合したゴムを使用することもできる。
【００３６】
また、シリコーンゴムは必ずしも白金触媒硬化型でなくてもよいが、白金触媒硬化型であれば吸水性が少ないので、手で何度も触られたり、胸部に接していたりしても劣化し難い。よって好ましい。
【００３７】
図２は、人体の胸部に装着された、本発明を適用した第１の実施態様の人工乳房を示す概略断面図である。
【００３８】
本発明の人工乳房１を人体の胸部７に装着するときは、本発明の人工乳房１の第３のシリコーンゴム層５を胸部７に向けて、本発明の人工乳房１を押す。
このとき、本発明の人工乳房１を胸部７に装着するための粘着剤や接着剤などを、胸部７に塗布しない。
【００３９】
すると、第３のシリコーンゴム層５には、柔軟層４に向けて窪んだ凹部６が形成されているので、吸着作用で本発明の人工乳房１を胸部７に装着することができる。
このとき、第３のシリコーンゴム層５と胸部７との間には、大きく隙間が形成されている。
【００４０】
また、さらに本発明の人工乳房１を押すことで、胸部７との間の空気を少し抜き、より一層、胸部７との密着度を高めることができると共に、本発明の人工乳房１の大きさを小さくすることができる。
また、第３のシリコーンゴム層５は粘着性を有するので、第３のシリコーンゴム層５が胸部７と接触して、胸部７に対する本発明の人工乳房１の接着力を高めることができる。
【００４１】
また、本発明の人工乳房１を取外すときは、例えば本発明の人工乳房１の縁部あたりを指で摘まみ、本発明の人工乳房１をやや圧縮して第３のシリコーンゴム層５と胸部７との間に空気を入れるようにしながら引き離す。
【００４２】
また、第３のシリコーンゴム層５と胸部７との間には大きく隙間が形成されるので、胸部７と接触しないような領域例えば第３のシリコーンゴム層５の略中央領域は設けずに、柔軟層４を露出させることもできる。
【００４３】
また、図３は、人体の胸部に装着された、本発明を適用した第１の実施態様の変形例の人工乳房を示す概略断面図である。
【００４４】
図３に示す本発明の第１の実施態様の変形例の人工乳房１は、図１に示す本発明の人工乳房の例と異なり、粘着性を有する第３のシリコーンゴム層５が、柔軟層４の、第２のシリコーンゴム層３が配置された側とは反対側に配置されていない。
【００４５】
すなわち、第３のシリコーンゴム層５は、図３に示すように第１のシリコーンゴム層２の縁部に配置されている。このように第３のシリコーンゴム層５を第１のシリコーンゴム層２の縁部に配置することによって、本発明の人工乳房１の周縁部と胸部７との装着を強化できる。
【００４６】
また、柔軟層４には、第２のシリコーンゴム層３に向けて凹部６が形成されている。
【００４７】
図４は、本発明を適用した第２の実施態様の人工乳房を人体の胸部に装着するときの様子の一例を示す概略断面図である。また、図５は、人体の胸部に装着された、本発明を適用した第２の実施態様の人工乳房を示す概略断面図である。
【００４８】
図４に示す本発明の人工乳房１は、さらに凹部６に着脱可能に配置される、かつ、シリコーンゲルを有するシリコーンゲル粘着体８を備えるものである。
【００４９】
すなわち、第１のシリコーンゴム層２、第２のシリコーンゴム層３、柔軟層４および第３のシリコーンゴム層５が、本発明の第２の実施態様の人工乳房１では、人工乳房本体を構成する。
【００５０】
ここで、シリコーンゲルは粘着性材料の一例であり、シリコーンゲル粘着体は粘着体の一例である。
【００５１】
また、粘着性材料としては、例えば、シリコーンゲルとシリコーンゴムの混合物を使用することもできる。この場合、シリコーンゲルとシリコーンゴムの重量比を変えることで、粘着体の硬度と接着力を調節することができる。
すなわち、シリコーンゴムの割合を多くするにつれ、硬度が高くなると共に接着力が低下し、シリコーンゲルの割合を多くするにつれ、硬度が低下すると共に接着力が高くなる。
【００５２】
また、シリコーンゲル粘着体８は、第１のシリコーンゴム層２、第２のシリコーンゴム層３、柔軟層４および第３のシリコーンゴム層５よりも軟らかい。
【００５３】
図４に示す本発明の人工乳房１は、シリコーンゲル粘着体８を備えているので、人体に対する接着力を向上でき、また、人体との間の空間を最小にして人工乳房の著しい変形を防止できる。
【００５４】
また、シリコーンゲル粘着体８は、第１のシリコーンゴム層２、第２のシリコーンゴム層３、柔軟層４および第３のシリコーンゴム層５よりも軟らかいので、外部からの作用に対し、さらに自然な感触が得られる。
【００５５】
また、シリコーンゲル粘着体８は着脱可能であるので、快適性を優先するときは凹部６に配置せずに本発明の人工乳房１を装着し、激しい運動を行なうときなど接着力を優先するときは凹部６に配置して本発明の人工乳房１を装着し、二つの状況に対応できる。
【００５６】
また、シリコーンゲル粘着体８は着脱可能であるので、シリコーンゲル粘着体８の接着力が落ちた場合、あるいはシリコーンゲル粘着体８が汚損した場合には、シリコーンゲル粘着体８のみ交換することで、接着力の低下と汚損の問題を解決できる。
【００５７】
また、シリコーンゲル粘着体８は着脱可能であるので、様々な大きさおよび重量のシリコーンゲル粘着体８を適用して、人工乳房全体の大きさと、形状と、重量の微調整が可能である。
【００５８】
また、図４に示すシリコーンゲル粘着体８は平坦な形状を有しているが、必ずしもこのような形状に限定されるものではなく、例えば球形とすることもできる。
【００５９】
また、図５に示すように、本発明の第２の実施態様の人工乳房１は、第３のシリコーンゴム層５と胸部７との間にシリコーンゲル粘着体８を挟んだ状態で、胸部７に装着される。
【００６０】
また、本発明の第２の実施態様の人工乳房１を取外すときは、例えば本発明の人工乳房１の縁部あたりを指で摘まみ、本発明の人工乳房１をやや圧縮してシリコーンゲル粘着体８と胸部７との間に空気を入れるようにしながら引き離す。
【００６１】
このとき、第３のシリコーンゴム層５とシリコーンゲル粘着体８との間の接着力の方が、シリコーンゲル粘着体８と皮膚すなわち胸部７との間の接着力よりも強いので、シリコーンゲル粘着体８を人工乳房本体と一緒に取外すことができる。
【００６２】
［実施例１］
乳頭部を含む人工乳房の外形に対応した形状の窪みが設けられた第１の人工乳房形成用型に、人体乳房色の色料を少量混合した透明液状の２液型ＲＴＶ（Ｒｏｏｍ  Ｔｅｍｐｅｒａｔｕｒｅ  Ｖｕｌｃａｎｉｚｉｎｇ＝室温硬化）シリコーンゴム（ファクター２社製、商品名：ＶＳＴ−５０）を注型した。そして、注型された２液型ＲＴＶシリコーンゴムに、触媒として白金を加えて室温〜７０℃の温度範囲で加熱硬化させ、第１のシリコーンゴム層２とした。
【００６３】
また、第１のシリコーンゴム層２の硬さをゴム硬度計「タイプＡデュロメータ」で測定したところ、硬さは「３１」であった。
【００６４】
また、隆起部が形成された第２の人工乳房形成用型に、人体乳房色の色料を少量混合した透明液状の２液型ＲＴＶシリコーンゴム（ファクター２社製、商品名：ＶＳＴ−５０）を注型した。そして、注型された２液型ＲＴＶシリコーンゴムに、触媒として白金を加えて室温〜７０℃の温度範囲で加熱硬化させ、第３のシリコーンゴム層５とした。
また、第３のシリコーンゴム層５の硬さをゴム硬度計「タイプＡデュロメータ」で測定したところ、硬さは「３１」であった。
【００６５】
次に、第１のシリコーンゴム層２上に透明液状の２液型ＲＴＶシリコーンゴム（ファクター２社製、商品名：ＶＳＴ−０５）を注型した。そして、注型された２液型ＲＴＶシリコーンゴムに、触媒として白金を加えて室温〜７０℃の温度範囲で加熱硬化させ、第２のシリコーンゴム層３とした。
【００６６】
また、第２のシリコーンゴム層３の硬さをゴム硬度計「タイプＯＯデュロメータ」で測定したところ、硬さは「３１」であった。
【００６７】
ここで、タイプＡデュロメータは、一般的な硬さを有するゴムの硬さを測定する際に使用される計器であり、タイプＯＯデュロメータは、超軟質ゴムの硬さを測定する際に使用される計器である。
すなわち、タイプＡデュロメータで測定して得られた硬さ「３１」を、タイプＯＯデュロメータで測定して得られる硬さに換算すると約「７０」に相当し、第２のシリコーンゴム層３は第１のシリコーンゴム層２よりも軟らかいことを確認した。
【００６８】
さらに、第２のシリコーンゴム層３上に透明液状の２液型ＲＴＶシリコーンゲル（モメンティブ社製、商品名：ＴＳＥ３０６２）を注型した。そして、注型された２液型ＲＴＶシリコーンゲルを室温〜７０℃の温度範囲で加熱硬化させ、柔軟層４とした。
【００６９】
また、柔軟層４の硬さを針入度計で測定したところ、針入度は「５５」であった。
ここで、針入度計は、超軟質ゴムよりもさらに軟らかいゲル状物質の硬さを測定する際に使用される計器である。また、針入度「５５」は、木綿豆腐の針入度と略同じである。
【００７０】
次に、第３のシリコーンゴム層５の縁部に、透明液状の２液型ＲＴＶシリコーンゴム（ファクター２社製、商品名：ＶＳＴ−５０）を塗布し、第１の人工乳房形成用型と第２の人工乳房形成用型を重ね合わせ、第１のシリコーンゴム層２の縁部および第２のシリコーンゴム層３の縁部と、第３のシリコーンゴム層５の縁部とを接着させた。
【００７１】
さらに、第１のシリコーンゴム層２、第２のシリコーンゴム層３、柔軟層４および第３のシリコーンゴム層５を、室温〜７０℃の温度範囲で加熱硬化させた。
【００７２】
そして、第１の人工乳房形成用型と第２の人工乳房形成用型を取外し、図１に示す本発明の人工乳房１を得た。
【００７３】
得られた本発明の人工乳房１に様々な角度から力を加えて変形させても不自然なシワは生じなかった。また、得られた本発明の人工乳房１は、人体に比べて不自然な硬さでもなかった。
【００７４】
また、得られた本発明の人工乳房１を、粘着剤や接着剤などを用いずに人体の胸部７に装着した。また、粘着剤や接着剤などを用いずに装着しているので、装着している間も発汗が妨げられ難く、長時間装着していても、装着者は不快感を覚えなかった。
【００７５】
［実施例２］
実施例１と同様にして、本発明の人工乳房１の人工乳房本体を得た。
また、第１の人工乳房形成用型の窪みよりも浅く、かつ、第２の人工乳房形成用型の隆起部に対応する形状の窪みが形成された第１の粘着体形成用型と、隆起部が形成された第２の粘着体形成用型との間に、液状のシリコーン混合物を注型した。
【００７６】
ここで、シリコーン混合物は、第１のシリコーンゲル材料（冨田マテックス社製、商品名：ＧＥＬ−ＧＵＭ１０）と第２のシリコーンゲル材料（冨田マテックス社製、商品名：ＧＥＬ−ＧＵＭ１０）を重量比１：１で均一配合して得られたシリコーンゲル材料混合品と、透明液状の２液型ＲＴＶシリコーンゴム（ファクター２社製、商品名：ＶＳＴ−０５）とを重量比１０：１で混合して得られものである。
【００７７】
そして、注型されたシリコーン混合物を室温〜７０の温度範囲で加熱硬化させ、第１の粘着体形成用型と第２の粘着体形成用型を取外し、図４に示すシリコーンゲル粘着体８を得た。
【００７８】
また、人工乳房本体も、シリコーンゲルを加熱硬化して得られた柔軟層４を有しているが、第１のシリコーンゴム層２の縁部および第２のシリコーンゴム層３の縁部と、第３のシリコーンゴム層５の縁部とを接着させた後に、さらに第１のシリコーンゴム層２、第２のシリコーンゴム層３、柔軟層４および第３のシリコーンゴム層５を、室温〜７０℃の温度範囲で加熱硬化させているので、シリコーンゲル粘着体８は、第１のシリコーンゴム層２、第２のシリコーンゴム層３、柔軟層４および第３のシリコーンゴム層５よりも軟らかい。
【００７９】
得られた本発明の人工乳房１の人工乳房本体を、粘着剤や接着剤などを用いずに、得られたシリコーンゲル粘着体８を介して人体の胸部７に装着した。
【００８０】
本発明の人工乳房１を装着した装着者は、装着中、激しい運動を行なったり、入浴したり、本発明の人工乳房１を圧迫したりしても、本発明の人工乳房１は移動することなく、装着されていた。
【００８１】
以上のように、本発明の人工乳房は、ゴムを有する第１のゴム層と、第１のゴム層よりも軟らかい、かつ、第１のゴム層の一方側に配置された、かつ、ゴムを有する第２のゴム層と、第２のゴム層よりも軟らかい、かつ、第２のゴム層の、第１のゴム層が配置された側とは反対側に配置された、かつ、軟性材料を有する柔軟層を備えており、段階的に軟らかくなっているので、外部から力を付与されても不自然なシワを生じにくく、軟らかさと型崩れし難い状態とを両立させることができる。
【００８２】
また、本発明の人工乳房は、第１のゴム層と略同じ硬さを有し、かつ、柔軟層の、第２のゴム層が配置された側とは反対側に配置された、かつ、柔軟層に向けて窪んだ凹部が形成された、かつ、ゴムを有する第３のゴム層を備えているので、人体との間に空間を形成しやすくなり、装着中に蒸れにくくなると共に、吸着作用で人工乳房を装着することができる。
【００８３】
また、本発明の人工乳房の変形例では、第３のゴム層が第１のゴム層の縁部にのみ配置されており、代わりに第２のゴム層に向けて窪んだ凹部が柔軟層に形成されているので、人体との間に空間を形成しやすくなり、装着中に蒸れにくくなると共に、吸着作用で人工乳房を装着することができる。
【００８４】
従って、本発明の人工乳房は、不自然さを低減できると共に、粘着剤や接着剤などを塗布することなく胸部に装着できるので、装着および取外しが容易である。
【００８５】
また、粘着剤や接着剤などを塗布して人工乳房を装着すると、取外しが大変であるが、本発明の人工乳房は、粘着剤や接着剤などを塗布することなく胸部に装着できるので、一度装着しても、取外して再度装着し、簡単に何度でも装着位置を変更できる。
従って、装着者は、いつでも本発明の人工乳房の装着位置を変えられるという心のゆとりを持つことができる。
【符号の説明】
【００８６】
１    人工乳房
２    第１のシリコーンゴム層
２Ａ  乳頭部
３    第２のシリコーンゴム層
４    柔軟層
５    第３のシリコーンゴム層
６    凹部
７    胸部
８    シリコーンゲル粘着体
【図１】
0006393880.tif 000002
【図２】
0006393880.tif 000003
【図３】
0006393880.tif 000004
【図４】
0006393880.tif 000005
【図５】
0006393880.tif 000006
【図６】
0006393880.tif 000007